(57)【特許請求の範囲】
【請求項１】
コンセントへ挿入される固定プラグ端子と、該固定プラグ端子に導通し異タイプ電気プラグの挿入プラグ端子を受け入れるレセプタクルとを有する硬質樹脂からなるハードボディ、及び
上記レセプタクルに挿入される挿入プラグ端子を挿脱する挿脱貫通孔を有するエラストマーからなるソフトボディ、
を有し、
該ソフトボディの上記挿脱貫通孔は、該挿脱貫通孔に挿脱される挿入プラグ端子により弾性変形される大きさであることを特徴とする電源変換プラグ。
【請求項２】
請求項１記載の電源変換プラグにおいて、上記ハードボディには、ソフトボディの上記挿脱貫通孔の周囲に位置し、上記挿脱貫通孔の弾性変形を抑制するバックアップ孔が形成されている電源変換プラグ。
【発明の詳細な説明】
【技術分野】
【０００１】
本発明は、絶縁ハウジングに、特定のタイプの電気コンセント（以下「コンセント」）に挿入されるプラグ端子（以下「固定プラグ端子」）と、この固定プラグ端子に導通し異タイプ（異種）電気プラグのプラグ端子を受け入れるレセプタクルとを支持した電源変換プラグに関する。
【背景技術】
【０００２】
コンセントと該コンセントに挿入される固定プラグ端子の形状は、世界で区々であり、現在、例えばＡ、Ｂ、Ｃ、Ｂ３、ＢＦ、ＳＥ、Ｏ、及びＯ２の各タイプが知られている。例えば、日本、北アメリカはＡタイプ、イギリスはＢＦタイプであり、異タイプ間の互換性はない（特定のタイプの固定プラグ端子を、異なるタイプのコンセントに挿入することはできない）。【０００３】
このため、より多種類の異タイプ電気プラグを受け入れるように、コンセントへ挿入される特定タイプの固定プラグ端子を設けた絶縁ハウジングに、異タイプ電気プラグの挿入プラグ端子を受け入れ可能な異形プラグ挿入孔を形成し、絶縁ハウジングに、該異形プラグ挿入孔に挿入される異タイプ電気プラグの挿入プラグ端子を受け入れるレセプタクルを設け、このレセプタクルを固定プラグ端子に導通させた電源変換プラグが実用化されている（特許文献１）。以下、本願発明が対象とする電源変換プラグのプラグ端子を固定プラグ端子、該電源変換プラグの異形プラグ挿入孔に挿入される異タイプ電気プラグのプラグ端子を挿入プラグ端子とする。【０００４】
特許文献２及び３は、絶縁ハウジングから突出する固定プラグ端子の形状（タイプ）を変更可能とすることで、タイプの異なるコンセントに対応できるようにした試みである。
【先行技術文献】
【特許文献】
【０００５】
【特許文献１】特公平７-７６８４号公報
【特許文献２】特開２００３-１３２９９１号公報
【特許文献３】特開２００３-１４２２１６号公報
【発明の概要】
【発明が解決しようとする課題】
【０００６】
しかしながら、従来のこの種の電源変換プラグは、絶縁ハウジングに、より多種類の異タイプ電気プラグの挿入プラグ端子を受け入れるための異形のプラグ挿入孔を形成しているため、挿入プラグ端子と異形プラグ挿入孔との間に遊びが生じやすい。また、各国でのプラグ端子あるいはレセプタクルの形状誤差等により、異形プラグ挿入孔に対する挿入プラグ端子の挿入が困難になることがある。さらに、挿入プラグ端子と異形プラグ挿入孔との間に遊びがあることを考慮して、レセプタクルにばね力を与えて挿入プラグ端子をばね力により支えて固定しているが、長年繰り返し使っているとこのばね力が弱くなり挿入プラグ端子が抜け易くなることがあり、これを防ぐためにレセプタクルのばね力を強くすると、挿入プラグ端子の挿入が困難になったり、挿入プラグ端子が損傷することがある。【０００７】
本発明は、以上の問題意識に基づき、異タイプの挿入プラグ端子が挿脱貫通孔に挿入されても、挿入された挿入プラグ端子を、、挿入プラグ端子を受けるレセプタクルのばね力を強くすることなく挿脱貫通孔によって確実に支持できる電源変換プラグを提供することを目的とする。
【課題を解決するための手段】
【０００８】
本発明による電源変換プラグは、コンセントへ挿入される固定プラグ端子と、該固定プラグ端子に導通し異タイプ電気プラグの挿入プラグ端子を受け入れるレセプタクルとを有する硬質樹脂からなるハードボディ、及び上記レセプタクルに挿入される挿入プラグ端子を挿脱する挿脱貫通孔を有するエラストマーからなるソフトボディ、を有し、該ソフトボディの挿脱貫通孔は、該挿脱貫通孔に挿脱される挿入プラグ端子により弾性変形される大きさであることを特徴としている。【０００９】
上記ハードボディには、ソフトボディの上記挿脱貫通孔の周囲に位置し、上記挿脱貫通孔の弾性変形を抑制するバックアップ孔を形成することができる。
【発明の効果】
【００１０】
本発明の電源変換プラグによれば、エラストマーからなるソフトボディに形成した挿脱貫通孔が該挿脱貫通孔に挿入される異タイプ電気プラグの挿入プラグ端子により弾性変形される大きさに形成されているので、挿入プラグ端子を挿脱貫通孔によって確実に支持することができる。挿入プラグ端子の挿入が困難になることもなく、レセプタクルのばね力（プラグ端子保持力）を強くしなくても、挿入プラグ端子を確実に保持することができる。
【図面の簡単な説明】
【００１１】
【図１】本発明の電源変換プラグの一実施形態を分解して示す斜視図である。
【図２】同電源変換プラグの組み立て状態の斜視図である。
【図３】同電源変換プラグの正面（プラグ端子挿入面）を示す図である。
【図４】図４の（Ａ）、（Ｂ）、（Ｃ）、（Ｄ）は、同電源変換プラグの挿脱貫通孔に、異なる挿入プラグ端子を挿入した様子を示す正面（プラグ端子挿入面）図である。
【図５】図３のＶ−Ｖ線に沿う断面図であって、（Ａ）は挿入プラグ端子を挿入する前の状態を示し、（Ｂ）は挿入プラグ端子を挿入した状態を示す図である。
【図６】本発明の電源変換プラグの他の実施形態を分解して示す斜視図である。
【図７】同電源変換プラグの他の実施形態の組み立て状態を示す斜視図である。
【発明を実施するための形態】
【００１２】
以下、図１乃至図５を参照して、本発明による電源変換プラグ（変換アダプタ）１０の一実施形態について説明する。この電源変換プラグ１０は、ＢＦタイプの３本の固定プラグ端子（差込プラグ）を備え、異なるタイプの挿入プラグ端子が挿入可能なレセプタクル（プラグ受け）を備えたマルチタイプである。本明細書及び特許請求の範囲において、コンセントやテーブルタップ等に挿入されるプラグ端子を固定プラグ端子と呼び、電源変換プラグに挿入されるプラグ端子を挿入プラグ端子と呼ぶ。なお、以下の説明中の前後、左右、及び上下の方向は、図中の矢印の方向を基準としている。
【００１３】
この電源変換プラグ１０は、ソフトボディ２０、上部ハウジング３０及び下部ハウジング４０を備えている。下部ハウジング４０には、下面から突出する３本の固定プラグ端子（差込プラグ）６１、６２、６３が設けられている。ソフトボディ２０は、絶縁性を有するエラストマ（ゴム及び常温で弾性を有する物質）からなるもので、上部ハウジング３０及び下部ハウジング４０は、絶縁性を有する硬質合成樹脂により形成されたハードボディである。第１乃至第３固定プラグ端子６１乃至６３は、導電性の金属により形成されている。
【００１４】
ソフトボディ２０は、平面視（正面）の外形が略台形の天板部２０ａと、天板部２０ａの外周端下面から下方に延びた、天板部２０ａを囲む外周壁２０ｂを有し、下方が開放された箱状である。天板部２０ａには、５個の挿脱貫通孔２１、２２、２３、２４及び２５が形成されている。各挿脱貫通孔２１乃至２５は、天板部２０ａの下面から下方に延びたソフト筒状部２１ａ、２２ａ、２３ａ、２４ａ及び２５ａの内周面により形成されていて、所定の長さ（深さ、奥行き）を有している。
【００１５】
上部ハウジング３０は、平面視（正面）において外形が略台形の天板部３０ａと、天板部３０ａの外周縁部下面から下方に延びた、天板部３０ａを囲む外周壁３０ｂを有し、下方が開放された箱状である。ソフトボディ２０と上部ハウジング３０の外形は、ソフトボディ２０が上部ハウジング３０に嵌合可能な略相似形（ソフトボディ２０の方が大）である。
上部ハウジング３０は、天板部３０ａに、ソフトボディ２０の各ソフト筒状部２１ａ、２２ａ、２３ａ、２４ａ及び２５ａが挿入可能な、５個のバックアップ孔３１、３２、３３、３４、及び３５が形成されている。各バックアップ孔３１乃至３５は、天板部３０ａの下面から下方に延びたハード筒状部３１ａ、３２ａ、３３ａ、３４ａ及び３５ａの内周面により形成されていて、ハード筒状部３１ａ乃至３５ａの長さ（深さ、奥行き）は、ソフト筒状部２１ａ乃至２５ａよりも長い（深い）。
挿脱貫通孔２１乃至２５とバックアップ孔３１乃至３５の正面形状（プラグ端子挿脱方向から見た形状）は、バックアップ孔３１乃至３５の方が大きい略相似形であって、挿脱貫通孔２１乃至２５のソフト筒状部２１ａ乃至２５ａがハード筒状部３１ａ乃至３５ａに嵌合可能な大きさである。
【００１６】
下部ハウジング４０は、正面視の外形がソフトボディ２０と同一の略台形であって、底部４０ａと、底部４０ａの外周縁部上面から上方に延びた、底部４０ａを囲む外周壁４０ｂを有し、上方が開放された箱状である（図５参照）。下部ハウジング４０の内部には、各挿脱貫通孔２１乃至２５とバックアップ孔３１乃至３５の軸方向延長上に位置させて、第１と第２と第３レセプタクル収容室４２ａと４２ｂと４２ｃが形成されている。第１レセプタクル収容室４２ａには、挿脱貫通孔２１乃至２３に挿入された挿入プラグ端子と接触する第１レセプタクル（プラグ受け）５１が収納されている。第２と第３レセプタクル収容室４２ｂと４２ｃには挿脱貫通孔２４と２５に挿入された各挿入プラグ端子と独立して接触する第２、第３のレセプタクル（プラグ受け）５２、５３が収納されている。
【００１７】
第１レセプタクル（アースレセプタクル）５１は、挿脱貫通孔２１乃至２３及びバックアップ孔３１乃至３３に沿って延びる、挿入プラグ挿脱方向と略平行な面を有し、前後方向に延びた長端子接触片５１ａ及びこの長端子接触片５１ａと対向する短端子接触片５１ａ１と、長端子接触片５１ａ及び短端子接触片５１ａ１を接続して上下方向に延びた接続片５１ｂと、接続片５１ｂと接続し、前後方向に延びるとともに、ソフトボディ２０の天板部２０ａと略平行な面を有する固定端子接続片５１ｃとを有している。
【００１８】
第２、第３のレセプタクル５２、５３は、挿脱貫通孔２４と２５から挿入された挿入プラグ端子と接触する一対の端子接触片５２ａ、５２ａと、端子接触片５３ａ、５３ａを備えている。第２レセプタクル５２の一対の端子接触片５２ａ、５２ａは接続片５２ｂにより接続され、接続片５２ｂには装着補助片５２ｃが接続されている。同様に第３レセプタクル５３の一対の端子接触片５３ａ、５３ａは接続片５３ｂにより接続され、接続片５３ｂには装着補助片５３ｃが接続されている。これらの接続片５２ｂ、５３ｂの下面にはそれぞれ、接続ピン５５、５５によってコ字状連結片５４、５４が接続されている（図５参照）。
以上の第１、第２、第３レセプタクル５１、５２、５３及びコ字状連結片５４は、例えばばね弾性を備えた導電性金属（銅合金）をプレス成形して形成される。
【００１９】
第１、第２、第３レセプタクル５１、５２、５３はそれぞれ、長端子接触片５１ａ、短端子接触片５１ａ１、端子接触片５２ａ、端子接触片５３ａの自由端部側を上方に向けて、下部ハウジング４０の第１、第２、第３レセプタクル収容室４２ａ、４２ｂ、４２ｃに嵌合される。第１レセプタクル５１は、第１固定プラグ端子６１が接続ピン６１ａを介して接続されている。第２、第３レセプタクル５２、５３は、それぞれ固定プラグ端子６２、６３がコ字状連結片５４と接続ピン６２ａ、６３ａを介して接続されている。第１乃至第３固定プラグ端子６１乃至６３は、下部ハウジング４０の上方から、底部４０ａの取付け孔を貫通し、上端部のネジ孔に螺入された接続ピン６１ａ乃至６３ａによって底部４０ａに固定されている（図５参照）。また、接続ピン６１ａの頭部には固定端子接続片５１ｃが弾性的に接触し、接続ピン６２ａと６３ａの頭部はコ字状連結片５４が弾性的に接触している。
【００２０】
以上のように第１乃至第３レセプタクル５１乃至５３及び第１乃至第３固定プラグ端子６１乃至６３が下部ハウジング４０に取付けられた後、下部ハウジング４０に上部ハウジング３０が嵌合され、上部ハウジング３０にソフトボディ２０が嵌合されると、電源変換プラグ１０が完成する（図２参照）。
【００２１】
電源変換プラグ１０の平面（正面）図を図３及び図４に示した。ソフトボディ２０の挿脱貫通孔２１乃至２５は、この挿脱貫通孔に挿入される挿入プラグ端子によって弾性変形し拡径される大きさに設定されている。一方、バックアップ孔３１乃至３５は、仮に同挿入プラグ端子を直接挿入したときには該挿入プラグ端子と干渉しないよう大きさに形成され、挿入プラグ端子によって挿脱貫通孔２１乃至２５が弾性変形したとき、その最大弾性変形量を抑制する作用をする。図３及び図４（Ａ）、（Ｂ）、（Ｃ）、（Ｄ）には、この電源変換プラグ１０の挿脱貫通孔２１乃至２５に挿入可能な挿入プラグ端子の形状及び配置を二点鎖線で重ねて描いている。符号６２、６３の後に付したＡ、Ｃ、Ｂ３、ＢＦ、及びＯの符号は、各タイプの挿入プラグ端子である。
【００２２】
挿脱貫通孔２５に、円柱形状の挿入プラグ端子６３Ｃが挿入されたときの様子を、図５（Ａ）及び（Ｂ）を参照して説明する。この図は、図３のＶ−Ｖ線に沿う断面図である。挿脱貫通孔２５に挿入プラグ端子６３Ｃを挿入しない自由状態において、第３レセプタクル５３は、一対の端子接触片５３ａの間隔が最も狭い状態にある（図５（Ａ）参照）。一対の端子接触片５３ａの自由状態における間隔は、該一対の端子接触片５３ａの間に挿入されるであろう全ての挿入プラグ端子に接触し、導通するように設定してある。また、挿脱貫通孔２５のソフト筒状部２５ａは、ハード筒状部３５ａに接触乃至僅かに離間した状態にある。
【００２３】
この状態において、挿入プラグ端子６３Ｃがこの挿脱貫通孔２５に挿入されると、挿入プラグ端子６３Ｃの外周面が挿通貫通孔２５を形成しているソフト筒状部２５ａの内周面に接触し、ソフト筒状部２５ａが拡径方向に押されて弾性変形する。したがってソフト筒状部２５ａは、挿入プラグ端子６３Ｃとハード筒状部３５ａの間で拡径され、拡径につれて、ハード筒状部３５ａの内周面との間で圧縮される。挿入プラグ端子６３Ｃは、挿脱貫通孔２５にさらに深く挿入されると、先端部が一対の端子接触片５３ａの間に入り込み、一対の端子接触片５３ａに接触するとともにその間隔を押し広げる（図５（Ｂ））。挿入プラグ端子６３Ｃは、正規位置まで挿入さた状態では、先端部寄りの外周面が一対の端子接触片５３ａに挟圧されて導通し、かつ後端部寄りの外周面がソフト筒状部２５ａに挟圧保持されている。したがって、挿入プラグ端子６３Ｃに軸線が傾く方向の外力が作用しても、ソフト筒状部２５ａ及びその外周のハード筒状部３５ａに支持されて傾き難く、かつ離脱方向の外力が作用してもソフト筒状部２５ａから摩擦力等の抵抗を受けるので脱落し難い。
【００２４】
以上は、Ｃタイプの挿入プラグ端子６３Ｃを例にソフトボディ２０の挿脱貫通孔２５の挿入プラグ端子保持作用を説明したものであるが、Ａタイプの挿入プラグ端子６２Ａ、６３Ａ、Ｂ３タイプの挿入プラグ端子６２Ｂ３、６３Ｂ３、ＢＦタイプの挿入プラグ端子６２ＢＦ、６３ＢＦ、Ｏタイプの挿入プラグ端子６２Ｏ、６３Ｏ（あるいはさらに他のタイプの挿入プラグ端子）を挿脱貫通孔２５に挿入した場合も、挿脱貫通孔２５の弾性変形部位が異なるだけで、同様の挿入プラグ端子保持作用が得られる。
【００２５】
本実施形態の電源変換プラグ１０は、エラストマーからなるソフトボディであるソフトボディ２０に形成した挿脱貫通孔２１乃至２５（ソフト筒状部２１ａ乃至２５ａ）が該挿脱貫通孔２１乃至２５に挿入される異タイプ電気プラグの挿入プラグ端子により弾性変形される大きさに形成されているので、挿入された挿入プラグ端子を挿脱貫通孔２１乃至２５（ソフト筒状部２１ａ乃至２５ａとハード筒状部３１ａ乃至３５ａ））によって確実に支持することができる。挿入プラグ端子の挿入が困難になることはなく、第１乃至第３レセプタクル５１乃至５３のばね力（プラグ端子保持力）を強くしなくても、挿入プラグ端子を確実に保持することができる。
【００２６】
なお、電源変換プラグ１０に固定されたプラグ端子を第１乃至第３固定プラグ端子６１乃至６３としたが、この第１乃至第３固定プラグ端子６１乃至６３は、他の電源変換プラグの挿脱貫通孔に挿入される場合には挿入プラグ端子になる。
【００２７】
以上の実施形態は、ハードボディに挿脱貫通孔より大径のバックアップ孔が形成され、バックアップ孔内に、ソフトボディの挿通貫通孔（ソフト筒状部）が挿入されている。
【００２８】
図６及び図７は、ハードボディにバックアップ孔を設けず、ソフトボディに設けた挿通貫通孔（貫通筒状部）だけで、挿入プラグ端子を保持する実施形態を示している。図６及び図７に示した電源変換プラグ１０′は、ＢＦタイプの３本の固定プラグ端子を備え、異なるタイプの挿入プラグ端子を挿入可能なレセプタクルを備えたマルチタイプである点は、図１乃至図５に示した電源変換プラグ１０と同じであるから、図１乃至図５の実施形態と同一の機能を有する部材には同一の符号を付して説明を省略する。
【００２９】
この電源変換プラグ１０′は、上部ハウジング３０′、ソフトボディ２０′、下部ハウジング４０′及び下蓋７０を備えている。下蓋７０には、下面から突出する３本の固定プラグ端子６１、６２、６３が設けられている。上部ハウジング３０′、下部ハウジング４０′及び下蓋７０は、絶縁性を有する硬質合成樹脂により形成されたハードボディであり、ソフトボディ２０′は、絶縁性を有し、例えばエラストマ―と称される弾力性を有する樹脂により形成されたソフトボディである。
【００３０】
上部ハウジング３０′は、正面視（平面）矩形の枠部３１′を有し、枠部３１′内に、ソフトボディ２０′が嵌合する略台形形状の開口３２′が形成されている。枠部３１′の平行に対向する側面には、下方に延びた係合片３３′が形成されている。係合片３３′の先端部の外面には係合爪３３′ａが突設されている。
【００３１】
ソフトボディ２０′は、枠部３１′内に嵌合可能な正面視（平面）矩形の平板部２０′ａと、平板部２０′ａの上面中央部に、上部ハウジング３０′の開口３２′に嵌合可能な凸部２０′ｂが形成されている。この凸部２０′ｂには、５個の挿脱貫通孔２１′、２２′、２３′、２４′及び２５′が形成されている。各挿脱貫通孔２１′乃至２５′は、ソフトボディ２０′（凸部２０′ｂ）を貫通していて、ソフトボディ２０′の下面から下方に突出形成したソフト筒状部２１′ａ、２２′ａ、２３′ａ、２４′ａ及び２５′ａと連通している。
【００３２】
下部ハウジング４０′は上下が開放された、平面視矩形の壁部４０′ｂを有する筐体であって、壁部４０′ｂで囲まれた内部に、挿脱貫通孔２１′乃至２５′及びソフト筒状部２１′ａ乃至２５′ａの延長上に位置させて、第１、第２、第３レセプタクル収容室４２′ａ、４２′ｂ、４２′ｃが形成されている。第１レセプタクル収容室４２′ａには、挿脱貫通孔２１′乃至２３′に挿入されたプラグ端子と接触する第１レセプタクル５１が収納されている。第２と第３レセプタクル収容室４２′ｂと４２′ｃには、挿脱貫通孔２４′と２５′に挿入された挿入プラグ端子と独立して接触する第２、第３のレセプタクル５２、５３が収納されている。
下部ハウジング４０′の一対の側面には、係合片３３′及び係合爪３３′ａが嵌合する切り欠き４３′及び係合溝４３′ａが係合されている。上部ハウジング３０′と下部ハウジング４０′は、係合片３３′及び係合爪３３′ａと切り欠き４３′及び係合溝４３′ａの係合により、一体化される。
【００３３】
下部ハウジング４０′の下部には、下方から、下蓋７０が嵌合される。下蓋７０は、下部ハウジング４０′の下部開口に嵌合可能な矩形の枠部７１と、枠部７１の下部に一体に底部７２が形成されている。底部７２には、第１乃至第３固定プラグ端子６１乃至６３が固定されている。第１乃至第３固定プラグ端子６１乃至６３はそれぞれ、固定端子接続片５１ｃを介して第１レセプタクル５１と導通し、コ字状連結片５４、５４を介して第２、第３レセプタクル５１、５３と導通する。枠部７１の枠部の一面に、係合突起７３と係合突起７３を挟んで一対の位置決め突起７４ａ、７４ａが突設されている。これらの係合突起７３と位置決め突起７４ａは、下部ハウジング４０′の壁部４０′ａ内周面に形成された係合溝、位置決め溝（図示せず）に着脱自在に係合して、下蓋７０を下部ハウジング４０′に着脱自在に係止する。
【００３４】
この電源変換プラグ１０′は、挿脱貫通孔２１′乃至２５′のいずれも、挿入プラグ端子が挿入されると、先ずソフト筒状部２１′ａ乃至２５′ａが挿入プラグ端子の外周面に接触し、拡径されながら、挿入プラグ端子の挿入を許容する。続いて、第１乃至第３レセプタクル５１乃至５３（長端子接触片５１ａ、短端子接触片５１ａ１、端子接触片５２ａ、端子接触片５３ａ）が挿入プラグ端子に接触し、接触状態を維持して弾性変形しながら挿入プラグ端子の挿入を許容する。挿入プラグ端子が規定位置まで挿入されると、ソフト筒状部２１′ａ乃至２５′ａが挿入プラグ端子に面接触または線状接触し、第１乃至第３レセプタクル５１乃至５３が挿入プラグ端子に面接触または線状接触して導通する。
【００３５】
本実施形態の電源変換プラグ１０′は、エラストマーからなるソフトボディであるソフトボディ２０′に形成した挿脱貫通孔２１′乃至２５′が該挿脱貫通孔２１′乃至２５′に挿入される異タイプ電気プラグの挿入プラグ端子により弾性変形される大きさに形成されているので、挿入プラグ端子を挿脱貫通孔２１′乃至２５′によって確実に支持することができる。挿入プラグ端子の挿入が困難になることもなく、第１、第２、第３レセプタクル５１、５２、５３のばね力（プラグ端子保持力）を強くしなくても、挿入プラグ端子を確実に保持することができる。
この実施形態では、ソフト筒状部２１′ａ乃至２５′ａは、第１実施形態のソフト筒状部２１ａ乃至２５ａのようにハード筒状部３１ａ乃至３５ａによる補強を受けないので、ソフト筒状部２１ａ乃至２５ａより、肉厚を厚くするなどして強度を持たせる。
【００３６】
以上の電源変換プラグ１０、１０′のハードボディ（上部ハウジング３０、３０′、下部ハウジング４０、４０′、下蓋７０）、ソフトボディ（ソフトボディ２０、２０′）の材料は、電気用品安全法の基準を満たすものが使用される。
具体的に、ソフトボディ２０、２０′の素材となるエラストマーには、シリコンゴム、クロロプレンゴム、ニトリルゴム、天然ゴム、エチレン・プロピレンゴム、フッ素ゴム、ウレタンゴム（ポリウレタンまたはＰＵ）等の各種ゴムの他、ＴＰＵ樹脂（熱可塑性ポリウレタン樹脂）、ＴＰＥ樹脂（熱可塑性エラストマー）等の樹脂材料がある。ソフトボディ２０、２０′は、以上のいずれかの素材を使用して、押出加工や、切り抜き加工、加硫加工により形成することができる。ハードボディは、従来の電源変換プラグ（あるいは一般的な電気プラグ）と同様にＡＢＳ樹脂のような硬質樹脂から構成する。
【００３７】
以上の実施形態は、ＢＦタイプの３本の固定プラグ端子を有する電源変換プラグに本発明を適用した実施形態であるが、本発明は、これ以外の固定プラグ端子を有する電源変換コネクタに適用できる。本発明は、挿脱貫通孔に異なるタイプの挿入プラグ端子が挿入される電源変換コネクタに適用可能である。また、ハウジング（上部ハウジング、下部ハウジング）、ソフトボディの形状は図示実施例に限定されず、種々変更可能である。
【００３８】
固定プラグ端子（差込プラグ、プラグ受け）の数、形状、サイズ、配置、安全性等は、例えばＪＩＳ、ＩＳＯ、ＩＥＣ等によって規格化されており、本発明の実施形態はそれらの規格に従っている。挿脱貫通孔２１乃至２５の形状、サイズ、配置等は、固定プラグ端子の形状、サイズ、配置等に応じて設定される。
【産業上の利用可能性】
【００３９】
本発明の電源変換プラグは、異なるタイプの電源プラグとコンセントを接続するための電源変換プラグとして広く利用可能である。
【符号の説明】
【００４０】
１０  １０′  電源変換プラグ
２０  ２０′  ソフトボディ
２１  ２２  ２３  ２４  ２５  挿脱貫通孔
２１′  ２２′  ２３′  ２４′  ２５′  挿脱貫通孔
２１ａ  ２２ａ  ２３ａ  ２４ａ  ２５ａ  ソフト筒状部
２１′ａ  ２２′ａ  ２３′ａ  ２４′ａ  ２５′ａ  ソフト筒状部
３０  ３０′  上部ハウジング（ハードボディ）
３１  ３２  ３３  ３４  ３５  バックアップ孔
３１ａ  ３２ａ  ３３ａ  ３４ａ  ３５ａ  ハード筒状部
４０  ４０′  下部ハウジング（ハードボディ）
４２ａ  ４２′ａ  第１レセプタクル収容室
４２ｂ  ４２′ｂ  第２レセプタクル収容室
４２ｃ  ４２′ｃ  第３レセプタクル収容室
５１  第１レセプタクル
５１ａ  長端子接触片
５１ａ１  短端子接触片
５２  第２レセプタクル
５２ａ  端子接触片
５３  第３レセプタクル
５３ａ  端子接触片
５４  コ字状連結片
６１  第１固定プラグ端子
６２  第２固定プラグ端子
６３  第２固定プラグ端子
６２Ｃ  ６３Ｃ  挿入プラグ端子
７０  下蓋（ハードボディ）
【要約】
異タイプの挿入プラグ端子が挿脱貫通孔に挿入されても、挿入された挿入プラグ端子を、挿入プラグ端子を受けるレセプタクルのばね力を強くすることなく挿脱貫通孔によって確実に支持できる電源変換プラグを得る。
コンセントへ挿入される固定プラグ端子と、該固定プラグ端子に導通し異タイプ電気プラグの挿入プラグ端子を受け入れるレセプタクルとを有する硬質樹脂からなるハードボディ、及び上記レセプタクルに挿入される挿入プラグ端子を挿脱する挿脱貫通孔を有するエラストマーからなるソフトボディ、を有し、該ソフトボディの挿脱貫通孔は、該挿脱貫通孔に挿脱される挿入プラグ端子により弾性変形される大きさである電源変換プラグ。【図１】
0005839533.tif 000002
【図２】
0005839533.tif 000003
【図３】
0005839533.tif 000004
【図４】
0005839533.tif 000005
【図５】
0005839533.tif 000006
【図６】
0005839533.tif 000007
【図７】
0005839533.tif 000008